(57)【要約】【課題】従来のスリッパは、足裏を乗せる底部の前部に、足先を挿入するカバーを設けた構造となっていた。そのため、スリッパを脱いで部屋を出入りする際、入る時か出る時かにカバーの向きを考慮して、身体を後ろ向きに回転させるとか、身体を屈めて手でスリッパを回転させて向きを変えるとかという動作をしなければならず、手間がかかり面倒である上、速やかに出入りすることが出来なかった。【解決手段】足裏を乗せる底部４の長手方向の一方の側に第１カバー２を設け、他方の側に第２カバー３を設ける構造とする。このようなスリッパ１は、いずれのカバーに足先を挿入しても使用可能であるので、部屋を出入りする際、身体を後ろ向きに回転させるとか、身体を屈めて手でスリッパを回転させて向きを変えるとかという動作をする必要がなくなる。【選択図】図１
0003128340.tif 000002
【実用新案登録請求の範囲】
【請求項１】
足裏を乗せる底部と足先を挿入するカバーとを具えるスリッパにおいて、
該カバーとして
前記底部の長手方向の一方の側に設けられた第１カバーと、
前記底部の長手方向の他方の側に設けられた第２カバーと
の２つを具えることとし、
いずれのカバーに足先を挿入しても使用可能とした
ことを特徴とするスリッパ。
【考案の詳細な説明】
【技術分野】
【０００１】
本考案は、前方に向かっても履けるし、後方に向かっても履けるようにしたスリッパに関するものである。
【背景技術】
【０００２】
図３は、従来のスリッパを示す図である。図３において、１０はスリッパ、１１はカバー、１２は底部であり、図３（１）は側面図、図３（２）は平面図である。
従来のスリッパ１０は、図示する如く、足裏を乗せる底部１２の一方の側にカバー１１が設けられ、そこに足先を挿入して履く構造とされている。従って、スリッパ１０を履く際、カバー１１が前向きとなっていればそのまま履けば良いが、前向きとなっていない場合には、手などで向きを前向きにしてから履くか、カバー１１の向きに合わせるよう身体を回転させて履くかしている。
【０００３】
我が国の一般の家庭でも、洋室の占める割合が次第に多くなり、新しく建てられる家では、和室よりもむしろ洋室の割合の方が多くなって来ている。それに伴い、スリッパを使用する機会が多くなっているが、和室ではスリッパを使用しないから、和室から出入りする度にスリッパを脱いだり履いたりしなければならない。
図５は、和室を出入りする際の従来のスリッパの脱ぎ方を示す図である。符号は図３に対応し、１３は洋室、１４は敷居、１５は和室である。洋室１３から和室１５に入る際は、従来から良しとされる作法に従えば、スリッパ１０を後ろ向きにして入る。これは、次に和室１５から洋室１３へ出る人の便を思い、その人が履き易くなるようにするためである。
【０００４】
後ろ向きにするやり方には２つある。第１のやり方は、まだスリッパ１０を履いた状態で背中が和室１５の方を向くよう身体を回転させ、その状態でスリッパ１０を脱いで後ろ向きに和室１５に入るというやり方である。第２のやり方は、和室１５に向いたままスリッパ１０を脱いで入り、その後で手でスリッパ１０を回して後ろ向きにするというやり方である。
もし、和室１５に入る時にスリッパ１０を後ろ向きにしておかなければ、次に和室１５から出る時に、身体をスリッパ１０の向きに合うよう回して履くか、屈んでスリッパ１０を手で前向きに回してから履くかする必要がある。結局、和室１５に入る時と出る時とを総合して考えてみると、身体を回すか屈んで手で回すかという動作を、１回はしなければならないことになる。
【０００５】
なお、スリッパを脱いだり履いたりしなければならないことは、和室と洋室との間を出入りする場合に留まらず、他の場合でもある。例えば、トイレに出入りする際にも行われる。なぜならトイレには、通常、トイレ専用のスリッパが置かれているからである。そのため、トイレの前が廊下や板の間となっていてスリッパを履く場所となっていても、そこからトイレに入る際は、トイレ専用のスリッパに履き代えなければならない。
一般にトイレの部屋は狭いので、ここで身体を回したり、屈んでスリッパを回したりすることは、狭苦しくもあり、不便でもある。
【考案の開示】
【考案が解決しようとする課題】
【０００６】
前記した従来のスリッパでは、スリッパを脱いで部屋を出入りする際、入る時か出る時かに、身体を後ろ向きに回転させるとか、身体を屈めて手でスリッパを回転させて向きを変えるとかという動作をしなければならなかった。そのため、手間がかかり面倒である上、速やかに出入りすることが出来ないという問題点があった。
本考案は、このような問題点を解決することを課題とするものである。
【課題を解決するための手段】
【０００７】
前記課題を解決するため、本考案では、足裏を乗せる底部と足先を挿入するカバーとを具えるスリッパにおいて、該カバーとして前記底部の長手方向の一方の側に設けられた第１カバーと、前記底部の長手方向の他方の側に設けられた第２カバーとの２つを具えることとし、いずれのカバーに足先を挿入しても使用可能な構造とした。
【考案の効果】
【０００８】
本考案のスリッパは、足先を挿入するカバーを底部の長手方向の両側にそれぞれ設ける構造としたので、スリッパを脱いで部屋を出入りする際、カバーの向きを考慮して入る時か出る時かに、身体を後ろ向きに回転させるとか、身体を屈めて手でスリッパを回転させて向きを変えるとかという動作を、全くする必要がなくなる。そのため、部屋の出入りを速やかに行うことが出来るようになる。
【考案を実施するための最良の形態】
【０００９】
以下、本考案の実施形態を図面に基づいて詳細に説明する。
図１は、本考案のスリッパを示す図である。図１において、１はスリッパ、２は第１カバー、３は第２カバー、４は底部であり、図１（１）は側面図、図１（２）は平面図である。
本考案のスリッパ１では、履く時に足先を挿入するカバーを２つ設ける。底部４の長手方向の一方の端に第１カバー２を設け、他方の端に第２カバー３を設ける。つまり、従来のスリッパは前方，後方の区別があったが、本考案のスリッパでは、その区別がない構造としている。従って、第１カバー２に足先を挿入して履くことも出来るし、第２カバー３に足先を挿入して履くことも出来る。
【００１０】
図２は、本考案のスリッパの使用状況を説明する図である。符号は図１のものに対応し、５は足である。
図２（１）は、足５の先を第１カバー２に挿入して履いた場合を示している。この場合、第２カバー３は踵で踏まれる形となる。踏まれた第２カバー３は、そのとき扁平となる。従来のスリッパでも、通常、カバーは踏まれた位で損傷するようなことはないが、本考案のスリッパでは、そのような心配が確実にないよう、踵で踏まれる圧力程度では損傷しない材料を選定して、作っておくのが望ましい。
図２（２）は、足５の先を第２カバー３に挿入して履いた場合を示している。この場合、第１カバー２は踵で踏まれる形となる。
【００１１】
図４は、和室を出入りする際の本考案のスリッパの脱ぎ方を示す図である。符号は図５，図１のものに対応している。
この図は、足先を第１カバー２に挿入して敷居１４の所まで歩いて来て、そのままの向きで脱いで和室１５に入った時の状況を示している。スリッパ１は、その第１カバー２が和室１５の方を向いているから、反対側にある第２カバー３の向きは、当然のことながら、和室１５から出る方向となっている。
スリッパ１がこのような状態となっているから、和室１５から出る時は、足先を第２カバー３に挿入して出ることが出来る。
【００１２】
和室１５に出入りする時の上記のような動作を点検してみると、身体を後ろ向きに回転させるとか、身体を屈めて手でスリッパを回転させて向きを変えるとかという動作をする場面は全くない。即ち、本考案のスリッパ１では、スリッパを脱いで部屋を出入りする際、入る時か出る時かに、身体を後ろ向きに回転させるとか、身体を屈めて手でスリッパを回転させて向きを変えるとかという動作を、全くする必要がない。そのため、部屋の出入りを速やかに行うことが出来るようになる。
【図面の簡単な説明】
【００１３】
【図１】本考案のスリッパを示す図
【図２】本考案のスリッパの使用状況を説明する図
【図３】従来のスリッパを示す図
【図４】和室を出入りする際の本考案のスリッパの脱ぎ方を示す図
【図５】和室を出入りする際の従来のスリッパの脱ぎ方を示す図
【符号の説明】
【００１４】
１…スリッパ、２…第１カバー、３…第２カバー、４…底部、５…足、１０…スリッパ、１１…カバー、１２…底部、１３…洋室、１４…敷居、１５…和室
【図１】
0003128340.tif 000003
【図２】
0003128340.tif 000004
【図３】
0003128340.tif 000005
【図４】
0003128340.tif 000006
【図５】
0003128340.tif 000007